(57)【要約】      （修正有）【課題】泡の映像をステンドグラス等の裏面に投影して、前記ステンドグラス等の意匠に独特の演出を与える装飾装置であって、前記ステンドグラス等の裏面に生じる結露を防止して、美観の低下や、装置の周囲の汚損を防ぐことのできる装飾装置及び観賞魚飼育水槽を提供する。【解決手段】少なくとも１面が光透過性を有するパネルで構成されるステンドグラス筐体４１の内部に照明装置４２を備えてなる装飾装置において、照明装置４２は内部に液体を充填した透明容器４２１と、透明容器４２１に気体を送給するエアチューブ４２７と、透明容器４２１とステンドグラス筐体４１の外部の空間を連通する連通管４２８、４２９と、透明容器４２を通して前記パネルを照射する電球４２２とを有する【選択図】図３
0003114382.tif 000002
【実用新案登録請求の範囲】
【請求項１】
少なくとも１面が光透過性を有するパネルで構成される筐体の内部に照明装置を備えてなる装飾装置において、
前記照明装置は
内部に液体を充填した透明容器と、
前記透明容器に気体を送給するエアブロー装置と、
前記透明容器と前記筐体の外部の空間を連通する連通管と、
前記透明容器を通して前記パネルを照射する光源と
を有することを特徴とする装飾装置。
【請求項２】
前記パネルは意匠を施した装飾パネルである
ことを特徴とする請求項１に記載の装飾装置。
【請求項３】
前記装飾パネルはステンドグラスである
ことを特徴とする請求項２に記載の装飾装置。
【請求項４】
前記筐体の上面に、前記連通管から吐出される前記液体を貯留する受け皿を備える
ことを特徴とする請求項１乃至請求項３のいずれかに記載の装飾装置。
【請求項５】
前記筐体の上面に開口された連通管引出口と、
前記受け皿の底面に穿孔された連通管挿出口を備え、
前記連通管を前記連通管引出口及び前記連通管挿出口を通して、前記受け皿の内部に突出させるとともに、
前記連通管の上端を前記受け皿の上縁よりも低く配置することを特徴とする請求項１乃至請求項４のいずれかに記載の装飾装置。
【請求項６】
前記液体は吸水性ポリマーを含む水である
ことを特徴とする請求項１乃至請求項５のいずれかに記載の装飾装置。
【請求項７】
前記透明容器は、
円筒状の外殻と、
前記外殻の内部に同心に配置された円筒状の内殻と
を有する二重容器であるとともに、
前記光源は前記内殻の内部に配置される
ことを特徴とする請求項１乃至請求項６のいずれかに記載の装飾装置。
【請求項８】
前記請求項１乃至請求項７のいずれかに記載の装飾装置を、その上部に載置することを特徴とする鑑賞魚飼育水槽。
【考案の詳細な説明】
【技術分野】
【０００１】
本考案は、光透過性のパネルを背後から照明して訴求性の高い装飾効果を得る装飾装置に関する。
【背景技術】
【０００２】
正面にステンドグラスをはめ込んだ筐体の内部に照明器具を装置した装飾器具が知られている（例えば、特許文献１）。
【０００３】
また、特許文献２には、上部に空間を残して非腐食性の透明な液体を充填した薄い皿状の透明な容器からなる波・泡発生器と、該波・泡発生器の透明な液体内に空気を送給しうるエアブロー装置と、波・泡発生器に光線を照射し得る照明器とからなることを特徴とする装飾体が開示されている。この装飾体は波・泡発生器の透明な液体に生じる波・泡の映像を床および天井に投影して、独特の装飾効果を得るものである。
【０００４】
【特許文献１】特開２００４−３３５１３９号公報
【特許文献２】特開平１０−１３４６０９号公報
【考案の開示】
【考案が解決しようとする課題】
【０００５】
特許文献１に記載の装飾器具は、ステンドグラスを背面から照明して正面からこれを鑑賞するものであるが、静止した平面的な意匠を均等に照明するので、訴求性に欠けるという問題がある。
【０００６】
そこで、ステンドグラスをはめ込んだ筐体の内部に特許文献２に記載の装飾体を装置して泡や波の映像をステンドグラスに投影すれば、静止した意匠に動きを与えて訴求性を向上させることができる。しかしながら、前記装飾体を前記筐体の内部に装置すると、透明容器に充填した液体が気化して蒸気が発生し、その蒸気がステンドグラスの裏面で結露して美観を損なうという問題がある。
【０００７】
本考案はかかる課題を解決する為に成されたものであり、泡の映像をステンドグラス等の裏面に投影して、前記ステンドグラス等の意匠に独特の演出を与える装飾装置であって、前記ステンドグラス等の裏面に生じる結露を防止して、美観の低下や、装置の周囲の汚損を防ぐことのできる装飾装置を提供することを目的とする。
【課題を解決するための手段】
【０００８】
本考案の装飾装置の第１の構成は、少なくとも１面が光透過性を有するパネルで構成される筐体の内部に照明装置を備えてなる装飾装置において、前記照明装置は内部に液体を充填した透明容器と、前記透明容器に気体を送給するエアブロー装置と、前記透明容器と前記筐体の外部の空間を連通する連通管と、前記透明容器を通して前記パネルを照射する光源とを有することを特徴とする。
【０００９】
この構成によれば、エアブロー装置によって透明容器内に発生させた泡の影像をパネルに投影して、独特の美観を与えることができる。
【００１０】
本考案の装飾装置の第２の構成は、前記第１の構成において、前記パネルは意匠を施した装飾パネルであることを特徴とする。
【００１１】
この構成によれば、泡の影像を投影することによって平面的な静止した意匠に動きを与えて、独特の美観を得ることができる。
【００１２】
なお、ここで装飾パネルに施す意匠とは、線図や彩色等にだけでなく、レリーフや透かし彫り、あるいは装飾パネルの平面形状それ自体を意匠とするものなど、美観を向上させるための各種の加工、工作一般をいう。
【００１３】
本考案の装飾装置の第３の構成は、前記第２の構成において、前記装飾パネルはステンドグラスであることを特徴とする。
【００１４】
この構成によれば、泡の影像を投影することによってステンドグラスの静的な意匠に動きを与えて、独特の美観を得ることができる。
【００１５】
本考案の装飾装置の第４の構成は、前記第１乃至第３のいずれかの構成において、前記筐体の上面に、前記連通管から吐出される前記液体を貯留する受け皿を備えることを特徴とする。
【００１６】
この構成によれば、連通管から吹き出す液体を受け皿に貯留するので、筐体の周囲を液体で汚すことがない。
【００１７】
本考案の装飾装置の第５の構成は、前記第４の構成において、前記筐体の上面に開口された連通管引出口と、前記受け皿の底面に穿孔された連通管挿出口を備え、前記連通管を前記連通管引出口及び前記連通管挿出口を通して、前記受け皿の内部に突出させるとともに、前記連通管の上端を前記受け皿の上縁よりも低く配置することを特徴とする。
【００１８】
この構成によれば、連通管の上端を前記受け皿の上縁よりも低く配置しているので、受け皿に溜まった液体を前記連通管を通して、透明容器に戻すことができる。また、受け皿を通して前記透明容器に前記液体を注ぐことができるので、前記液体の補充が容易になる。
【００１９】
本考案の装飾装置の第６の構成は、前記第１乃至第５のいずれかの構成において、前記液体は吸水性ポリマーを含むことを特徴とする。
【００２０】
この構成によれば、吸水性ポリマーによって液体がゲル化して、前記ゲルの運動により、水泡の運動を復雑にして、前記パネルに複雑な映像を投影するので、装飾性が向上する。
【００２１】
本考案の装飾装置の第７の構成は、前記第１乃至第６のいずれかの構成において、前記透明容器は、円筒状の外殻と、前記外殻の内部に同心に配置された円筒状の内殻とを有する二重容器であるとともに、前記光源は前記内殻の内部に配置されることを特徴とする。
【００２２】
この構成によれば、透明容器を円筒状にして、光源を円筒状容器の内部に配置するので、泡の影像を全ての方向に投影できる。
【００２３】
本考案の鑑賞魚飼育水槽の構成は、前記第１乃至第７のいずれかの構成に係る装飾装置を、その上部に載置することを特徴とする。
【００２４】
この構成によれば、鑑賞魚と装飾装置の相乗効果によって、装飾効果が向上する。また、装飾装置によって鑑賞魚飼育水槽の上部の濾過装置等がカバーされるので、鑑賞魚飼育水槽の美観が向上する。
【考案の効果】
【００２５】
以上説明したように、本考案によれば、筐体内部に結露を発生させることなしに、泡の影像をパネルに投影して、前記パネルの静止した意匠に動きを与えて装飾効果を与える装飾装置および観賞魚飼育水槽を提供することができる。
【考案を実施するための最良の形態】
【００２６】
以下、本考案を実施するための最良の形態について、図面を参照しながら説明する。
【実施例】
【００２７】
図１は、本考案の実施例に係る観賞魚飼育水槽１の正面図であり、図２は、断面図である。
【００２８】
図１及び図２に示すように、鑑賞魚飼育水槽１は、水槽本体２、濾過ユニット３及びステンドグラスユニット４から構成されている。
【００２９】
水槽本体２は正面、裏面および両側面に透明アクリル板を貼った箱形の水槽である。
【００３０】
濾過ユニット３は、水槽本体２中の飼育水を濾過するユニットであり、濾過ユニット本体３１、揚水ポンプ３２、濾過槽３３、蓋板３４、及び栓３５を備えている。
【００３１】
濾過ユニット本体３１は、水槽本体２の上部に載置される箱形の容器である。揚水ポンプ３２は水槽本体２中の飼育水を汲み上げるポンプであり、揚水ポンプ３２が汲み上げた飼育水は濾過槽３３に流入する。濾過槽３３は、濾過ユニット本体３１の内部に装置される上部が開放された箱形の容器であり、底面に多数の小穴が穿たれるともに、内部に濾材（図示せず）が充填されている。濾過槽３３の上部から流入した飼育水は前記濾材で濾過され、前記小穴を通って、濾過ユニット本体３１に流下する。濾過ユニット本体３１に流下した飼育水は、濾過ユニット本体３１の底面に開口した還流口３６を通って、水槽本体２に還流する。
【００３２】
なお、蓋板３４は濾過ユニット本体３１の上部を掩蓋して、濾過ユニット本体３１から立ち上がる飼育水の蒸気や飛沫が外部に発散するのを防ぐ覆いである。また栓３５は、濾過ユニット３を水槽本体２から取り下ろした時に、濾過ユニット本体３１に残った飼育水が還流口３６から流れ落ちるのを防ぐために、還流口３６を閉塞する栓である。
【００３３】
また、３７は多数の色付ガラスをはめ込んだ装飾パネルである。濾過ユニット３の内部には水槽本体２を照明する蛍光燈（図示せず）が備えられ、装飾パネル３７は前記蛍光燈によって裏面から照らされる。
【００３４】
ステンドグラスユニット４は、ステンドグラス筐体４１と、照明装置４２及び受け皿４３とから構成される。
【００３５】
ステンドグラス筐体４１は、正面及び両側面にステンドグラスで構成するとともに、上面及び背面を不透明な板材で構成した箱である。また、照明装置４２はステンドグラス筐体４１の中に装置されて、ステンドグラス筐体４１の内部に光を照射する装置である。
【００３６】
図３は、照明装置４２と受け皿４３の断面図である。図３において、４２１は透明容器であり、４２２は電球である。
【００３７】
透明容器４２１は円筒状の外殻４２３と、外殻４２３の内部に同心に配置された円筒状内殻４２４からなる二重容器であり、外殻４２３と内殻４２４の間の空間４２５に水を充填している。また、空間４２５の底部にはエアストーン４２６が装置され、エアストーン４２６はエアチューブ４２７を介して、図示しないエアポンプに接続されている。なお、エアストーン４２６は多孔質の素材を空間４２５の水平断面形に合うようにリング状に成形したものであり、その表面の微少な孔から、多数の小気泡が吹き出す。また、透明容器４２１の上端には連通管４２８，４２９が備えられている。連通管４２８，４２９は空間４２５と外部を連絡する管状の部材である。つまり、空間４２５の内部の液体及び気体は連通管４２８，４２９を通って自由に出入りできる。
【００３８】
４１１，４１２はステンドグラス筐体４１の上面に開口された連通管引出口であり、４３１，４３２は受け皿４３の底面に穿孔された連通管挿通口である。連通管４２８，４２９は、連通管引出口４１１，４１２及び連通管挿通口４３１，４３２を通って、受け皿４３の内部に引き出されている。なお、４３３，４３４は連通管引出口４１１，４１２と連通管挿通口４３１，４３２の間の隙間から液体が漏れるのを防止するシールである。
【００３９】
ここで、照明装置４２の作用を説明する。図示しないエアポンプで加圧した空気をエアチューブ４２７を介してエアストーン４２６に吹き込むと、空間４２５の内部の水に多数の気泡が生じ、この気泡は前記水の中を上昇して透明容器４２１の上部に達し、連通管４２８，４２９を通って外部に排出される。この時、電球４２２を点灯すると、電球４２２の光は透明容器４２１を通してステンドグラス筐体４１を照らすから、ステンドグラス筐体４１を構成するステンドグラスには、空間４２５の中を上昇する気泡の影が投影される。この気泡の影をステンドグラス筐体４１の外側からみると、前記ステンドグラスの静止した意匠に動きが加わり、前記ステンドグラスの装飾効果が向上する。
【００４０】
なお、空間４２５に充填する液体は水には限られない。透明容器４２１に充填して保持できる液体であれば、各種の液体を選択できる。例えば、水に吸水性ポリマーを混入して半ばゲル化すれば、気泡がゲル化した小塊にぶつかって、複雑な運動を繰り返すので、独特の装飾効果が生じる。また、液体に染料を混入して色を付けてもよい。あるいは、固体（例えば、ラメの小片）を混入してもよい。
【００４１】
あるいは、水に換えて油を空間４２５に充填すれば、粘性等の違いによって水とは異なる装飾効果が生じる。また、互いに混じり合わない２種の液体（例えば、水と油）を空間４２５に充填すれば、気泡によって両者が撹拌されて、独特の模様を作るので、装飾効果が向上する。
【００４２】
次に、連通管４２８，４２９と受け皿４３の作用について説明する。先に説明したように、連通管４２８，４２９はエアストーン４２６から吹き出した空気を外部に排出するとともに、空間４２５に充填された液体が気化して生じた蒸気を排出する作用がある。空間４２５に充填された液体は、気泡の運動によって撹拌されるとともに、電球４２２によって熱せられるから、少なからぬ量が気化して蒸気となる。この蒸気をステンドグラス筐体４１の内部に排出すると、ステンドグラスの裏面で結露して、美感を損ねるので、これを防ぐために、連通管４２８，４２９を通して、ステンドグラス筐体４１の外部に排出するのである。
【００４３】
また、連通管４２８，４２９からは空気や蒸気の他に、空間４２５に充填された液体の一部も吹き出される。受け皿４３は、この吹き出された液体が他に流れ出ないように留める作用がある。また、受け皿４３の上面を覆うよう蓋材を備えれば、排出された蒸気を再液化して、受け皿４３に滴下させて透明容器４２１に戻すことができる。
【００４４】
さらにまた、連通管４２８，４２９の上端は、受け皿４３の上縁より低い位置にあるので、空間４２５に液体を補充する際には、連通管４２８，４２９を通じて液体を空間４２５に注ぐことができる。なお、本実施例では連通管４２８，４２９の上端を、受け皿４３の底面より高くした例を示しているが、連通管４２８，４２９の上端と受け皿４３の底面が面一になるように設計すれば、液体の補充に便利である。
【００４５】
なお、本実施例では、２本の連通管を備えた例を示したが、本考案は連通管を２本備えるものに限られるものではない。空気・蒸気あるいは液体の通路として機能するのであれば、１本であっても、３本以上であっても構わない。
【００４６】
また、本実施例では透明容器４２１を円筒状の瓶型の容器にしたが、本考案はこのような円筒状の瓶型の容器を用いる物に限られる訳ではない。例えば、図４に示すように、透明容器４２１を角形の二重容器にしてもよいし、図５に示すように、透明容器４２１を平板状に構成して、電球４２２とステンドグラス筐体４１の間に配置してもよい。
【図面の簡単な説明】
【００４７】
【図１】本考案の実施例に係る鑑賞魚飼育水槽の正面図である。
【図２】鑑賞魚飼育水槽の断面図である。
【図３】照明装置と受け皿の断面図である。
【図４】透明容器の別の例を示す水平断面図である。
【図５】透明容器の別の例を示す水平断面図である。
【符号の説明】
【００４８】
１  鑑賞魚飼育水槽
２  水槽本体
３  濾過ユニット
４  ステンドグラスユニット
３１  濾過ユニット本体
３２  揚水ポンプ
３３  濾過槽
３４  蓋板
３５  栓
３６  還流口
３７  装飾パネル
４１  ステンドグラス筐体
４２  照明装置
４３  受け皿
４１１，４１２  連通管引出口
４２１  透明容器
４２２  電球
４２３  外殻
４２４  内殻
４２５  空間
４２６  エアストーン
４２７  エアチューブ
４２８，４２９  連通管
４３１，４３２  連通管挿通口
４３３，４３４  シール
【図１】
0003114382.tif 000003
【図２】
0003114382.tif 000004
【図３】
0003114382.tif 000005
【図４】
0003114382.tif 000006
【図５】
0003114382.tif 000007